【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
被検査物の画像の血管領域を横断する少なくとも１つの方向における輝度分布に対して、第１のサイズで第１の平滑化処理を行い、前記第１のサイズよりも小さな第２のサイズで第２の平滑化処理を行う処理手段と、
前記第１の平滑化処理を行って得た輝度分布に基づいて、前記被検査物の画像における血管壁の位置を特定する第１の特定手段と、
前記第２の平滑化処理を行って得た輝度分布に基づいて、前記被検査物の画像における前記血管壁の内側境界の位置及び外側境界の位置を特定する第２の特定手段と、
を有することを特徴とする画像処理装置。
【請求項２】
前記処理手段は、前記第１のサイズに相当するフィルタのサイズで平滑化処理して得た輝度分布に対する微分処理である第１の微分処理を行い、前記第２のサイズに相当するフィルタのサイズで平滑化処理して得た輝度分布に対する微分処理である第２の微分処理を行い、
前記第１の特定手段は、前記第１の微分処理を行って得た輝度分布における特徴点を前記血管壁の位置として特定し、
前記第２の特定手段は、前記第２の微分処理を行って得た輝度分布における複数の特徴点を、前記血管壁の内側境界の位置及び外側境界の位置として特定することを特徴とする請求項１に記載の画像処理装置。
【請求項３】
前記処理手段は、前記被検査物の画像の血管領域を横断する方向で取得された輝度分布に対して、前記第１のサイズに相当する区間のサイズで第１の線形近似を行い、前記第２のサイズに相当する区間のサイズで第２の線形近似を行い、
前記第１の特定手段は、前記第１の線形近似を行って得た輝度分布における特徴点を前記血管壁の位置として特定し、
前記第２の特定手段は、前記第２の線形近似を行って得た輝度分布における複数の特徴点を、前記血管壁の内側境界の位置及び外側境界の位置として特定することを特徴とする請求項１に記載の画像処理装置。
【請求項４】
被検査物の画像の血管領域を横断する少なくとも１つの方向における輝度分布に対して、第１のサイズ及び前記第１のサイズよりも小さい第２のサイズで平滑化処理を行う処理手段と、
前記第１のサイズで平滑化処理して得た輝度分布における複数の特徴点を第１の血管壁及び第２の血管壁の位置として特定する第１の特定手段と、
前記第２のサイズで平滑化処理して得た輝度分布における前記特定された第１の血管壁及び第２の血管壁の位置の近傍の複数の特徴点を、前記第１の血管壁の内側境界及び外側境界と前記第２の血管壁の内側境界及び外側境界との位置として特定する第２の特定手段と、
を有することを特徴とする画像処理装置。
【請求項５】
前記第２の特定手段は、前記第２のサイズで平滑化処理して得た輝度分布における前記第１の血管壁及び前記第２の血管壁の位置の近傍の極値点を、前記第１の血管壁の内側境界及び外側境界と前記第２の血管壁の内側境界及び外側境界との位置として特定することを特徴とする請求項４に記載の画像処理装置。
【請求項６】
前記第２の特定手段は、前記第２のサイズで平滑化処理して得た輝度分布における複数の特徴点を、前記第１の血管壁及び前記第２の血管壁に関する内膜の内側境界と前記内膜と壁細胞が存在する膜との境界と前記壁細胞が存在する膜の外側境界との位置として特定することを特徴とする請求項４に記載の画像処理装置。
【請求項７】
前記内膜の内側境界と前記内膜と壁細胞が存在する膜との境界と前記壁細胞が存在する膜の外側境界との少なくとも１つに基づいて、血管膜厚と血管壁厚と血管内径と血管外径との少なくとも１つを計測する計測手段を更に有することを特徴とする請求項６に記載の画像処理装置。
【請求項８】
前記第１の血管壁の外側境界及び内側境界と前記第２の血管壁の外側境界及び内側境界との位置を用いて、血管壁厚と血管内径と血管外径との少なくとも１つを計測する計測手段を更に有することを特徴とする請求項４に記載の画像処理装置。
【請求項９】
前記被検査物の画像から前記血管領域を特定するために、前記被検査物の画像において０．５ｍｍＸ０．５ｍｍ以下の少なくとも１つの関心領域を設定する関心領域設定手段を更に有することを特徴とする請求項４乃至８のいずれか１項に記載の画像処理装置。
【請求項１０】
前記被検査物からの散乱光を分割して得た複数の光が受光されることにより得られた複数の種類の非共焦点画像であるＲチャンネル画像及びＬチャンネル画像を前記被検査物の画像として取得する画像取得手段を更に有し、
前記第２の特定手段は、前記Ｒチャンネル画像及び前記Ｌチャンネル画像の一方を用いて、前記第１の血管壁の内側境界及び外側境界の位置を特定し、前記Ｒチャンネル画像及び前記Ｌチャンネル画像の他方を用いて、前記第２の血管壁の内側境界及び外側境界の位置を特定することを特徴とする請求項４乃至９のいずれか１項に記載の画像処理装置。
【請求項１１】
前記被検査物からの散乱光を分割して得た複数の光が受光されることにより得られた複数の種類の非共焦点画像の間で差分演算または除算演算することで得られた画像を前記被検査物の画像として取得する画像取得手段を更に有することを特徴とする請求項１乃至９のいずれか１項に記載の画像処理装置。
【請求項１２】
被検査物の画像の血管領域を横断する少なくとも１つの方向における輝度分布に基づいて、前記被検査物の画像における血管壁の位置を特定する第１の特定手段と、
前記輝度分布における前記特定された血管壁の位置の近傍の複数の特徴点を、前記被検査物の画像における前記血管壁の内側境界の位置及び外側境界の位置として特定する第２の特定手段と、
を有することを特徴とする画像処理装置。
【請求項１３】
被検査物の画像の血管領域を横断する少なくとも１つの方向における輝度分布に対して、第１のサイズで第１の平滑化処理を行い、前記第１のサイズよりも小さな第２のサイズで第２の平滑化処理を行う処理工程と、
前記第１の平滑化処理を行って得た輝度分布に基づいて、前記被検査物の画像における血管壁の位置を特定する第１の特定工程と、
前記第２の平滑化処理を行って得た輝度分布に基づいて、前記被検査物の画像における前記血管壁の内側境界の位置及び外側境界の位置を特定する第２の特定工程と、
を有することを特徴とする画像処理方法。
【請求項１４】
被検査物の画像の血管領域を横断する少なくとも１つの方向における輝度分布に対して、第１のサイズ及び前記第１のサイズよりも小さい第２のサイズで平滑化処理を行う処理工程と、
前記第１のサイズで平滑化処理して得た輝度分布における複数の特徴点を第１の血管壁及び第２の血管壁の位置として特定する第１の特定工程と、
前記第２のサイズで平滑化処理して得た輝度分布における前記特定された第１の血管壁及び第２の血管壁の位置の近傍の複数の特徴点を、前記第１の血管壁の内側境界及び外側境界と前記第２の血管壁の内側境界及び外側境界との位置として特定する第２の特定工程と、
を有することを特徴とする画像処理方法。
【請求項１５】
被検査物の画像の血管領域を横断する少なくとも１つの方向における輝度分布に基づいて、前記被検査物の画像における血管壁の位置を特定する第１の特定工程と、
前記輝度分布における前記特定された血管壁の位置の近傍の複数の特徴点を、前記被検査物の画像における前記血管壁の内側境界の位置及び外側境界の位置として特定する第２の特定工程と、
を有することを特徴とする画像処理方法。
【請求項１６】
請求項１３乃至１５のいずれか１項に記載の画像処理方法の各工程をコンピュータに実行させるためのプログラム。
【請求項１７】
前記被検査物は、被検眼であり、
前記被検査物の画像は、前記被検眼の眼底画像であることを特徴とする請求項１乃至１２のいずれか１項に記載の画像処理装置。
【手続補正２】
【補正対象書類名】明細書
【補正対象項目名】００１６
【補正方法】変更
【補正の内容】
【００１６】
本発明に係る画像処理装置の一つは、
被検査物の画像の血管領域を横断する少なくとも１つの方向における輝度分布に対して、第１のサイズで第１の平滑化処理を行い、前記第１のサイズよりも小さな第２のサイズで第２の平滑化処理を行う処理手段と、
前記第１の平滑化処理を行って得た輝度分布に基づいて、前記被検査物の画像における血管壁の位置を特定する第１の特定手段と、
前記第２の平滑化処理を行って得た輝度分布に基づいて、前記被検査物の画像における前記血管壁の内側境界の位置及び外側境界の位置を特定する第２の特定手段と、を有する。
また、本発明に係る画像処理方法の一つは、
被検査物の画像の血管領域を横断する少なくとも１つの方向における輝度分布に対して、第１のサイズで第１の平滑化処理を行い、前記第１のサイズよりも小さな第２のサイズで第２の平滑化処理を行う処理工程と、
前記第１の平滑化処理を行って得た輝度分布に基づいて、前記被検査物の画像における血管壁の位置を特定する第１の特定工程と、
前記第２の平滑化処理を行って得た輝度分布に基づいて、前記被検査物の画像における前記血管壁の内側境界の位置及び外側境界の位置を特定する第２の特定工程と、を有する。